(57)【要約】【課題】自在球を用いながらも、マイクロホンコードの撚れによる断線がなく、また、ハウリング現象を防止するため不用意な取扱いによってマイクロホンが拡声スピーカ側に向けられないようにしたマイクロホン支持具を提供する。【解決手段】自在球５０とマウント部７０との間に自在球５０がパイプ挿通孔５１０の軸線を中心に回転する回転角を規制する規制溝５２０を設けて、マイクロホンの指向軸Ｌが話者側を中心にして所定の振り幅になるように規制する。【選択図】  図２
2004172955.tif 000002
【特許請求の範囲】
【請求項１】
先端にマイクロホンが取り付けられた支持パイプと、上記支持パイプを挿通可能なパイプ挿通孔を有する自在球と、テーブルなどの被取付部位に取り付けられるベースフレームとを有し、上記ベースフレームには、内部に上記自在球を回転可能に支持するマウント部が設けられ、上記自在球を介して上記マイクロホンを角度および方向を含めた任意の位置に調節可能であり、かつ、マイクロホンコードが上記支持パイプおよび上記自在球のパイプ挿通孔を通して引き出されているマイクロホン支持具において、
上記自在球と上記マウント部との間には、上記自在球が上記パイプ挿通孔の軸線を中心に回転する回転角を規制する回転規制手段が設けられており、上記回転規制手段により上記マイクロホンの指向軸が話者側を中心にして所定の振り幅内に規制されていることを特徴とするマイクロホン支持具。
【請求項２】
上記マイクロホンの指向軸の振り幅が、話者側から見て±１１０°以内の範囲である請求項１に記載のマイクロホン支持具。
【請求項３】
上記回転規制手段は、上記自在球の外輪面に沿って形成された規制溝と、上記ベースフレームから上記規制溝に向けて突出する規制ボスとからなる請求項１または２に記載のマイクロホン支持具。
【請求項４】
上記規制溝の底部には、上記支持パイプを上記自在球のパイプ挿通孔内に固定するためのネジ式の固定子が設けられている請求項１，２または３に記載のマイクロホン支持具。
【発明の詳細な説明】
【０００１】
【発明の属する技術分野】
本発明は、例えば会議室などの机に備え付けられるマイクロホンの角度や方向などを調節可能なマイクロホン支持具に関し、さらに詳しく言えば、位置調節にに伴うケーブルの断線やハウリング現象などを引き起こしにくくしたマイクロホン支持具に関する。
【０００２】
【従来の技術】
各種会議室などに用いられるマイクロホンには、話者の胸元に備え付けられるラベリアマイクロホンやテーブルなどの上に置いて使用するバウンダリーマイクロホンなどのほかに、各話者の机やテーブルに直接設置されるグースネックマイクロホンがある。
【０００３】
図６にグースネックマイクロホンの一例を示す。このマイクロホン１は、支持パイプ４の一端側にマイクロホンユニット２が取り付けられ、その他端側に例えばＸＬＲＭタイプのメスコネクタ３を有し、支持パイプ４の一部がフレキシブルシャフト４１によって構成されている。
【０００４】
このマイクロホン１は、図示しないテーブルなどの被取付部側に設けられたコネクタ部（図６の場合は、オスコネクタ）に差し込むことで机に簡単に設置でき、話者はフレキシブルシャフト４１を折り曲げることで、マイクロホンを自分の好みの位置に簡単に調節することができる。
【０００５】
しかしながら、フレキシブルシャフト４１は、例えば２本の金属製の線材を交互に螺旋状に巻き付けてパイプ状に形成した構造であるため、耐久性に乏しく、経時的に動作力が変化するばかりでなく、折り曲げ時に異音が発生するなどの問題もある。また、構造が複雑であるがゆえに高価である。
【０００６】
そこで、本出願人は、フレキシブルシャフト４１の代わりに自在球によってマイクロホンの位置を無段階に調節可能なマイクロホンスタンドを下記の特許文献１として提案した。このマイクロホンスタンドによれば、自在球を介して支持パイプがほぼ全方位に移動可能であるため、マイクロホンを任意の方向に向けることができる。
【０００７】
【特許文献１】
特開平１１−３４１５７６号公報
【０００８】
【発明が解決しようとする課題】
しかしながら、自在球は回転可能であるがために、次のような問題がある。すなわち、マイクロホンコードは、支持パイプ内を通って引き出されているため、支持パイプを一定方向に回転し続けたり、広い角度範囲にわたって往復的に繰り返し回転させたりした場合には、内部のマイクロホンコードが撚れて断線するおそれがある。
【０００９】
また、会議室などには、話者の音声を拡声するスピーカが設けられているが、マイクロホンがそのスピーカに向けられた場合、ハウリング現象を起こすことがある。
【００１０】
本発明は、上述した課題を解決するためになされたものであって、その目的は、自在球を用いながらも、マイクロホンコードの撚れによる断線がなく、また、ハウリング現象を防止するため、不用意な取扱いによってマイクロホンが拡声スピーカ側に向けられないようにしたマイクロホン支持具を提供することにある。
【００１１】
【課題を解決するための手段】
上述した目的を達成するため、本発明は、先端にマイクロホンが取り付けられた支持パイプと、上記支持パイプを挿通可能なパイプ挿通孔を有する自在球と、テーブルなどの被取付部位に取り付けられるベースフレームとを有し、上記ベースフレームには、内部に上記自在球を回転可能に支持するマウント部が設けられ、上記自在球を介して上記マイクロホンを角度および方向を含めた任意の位置に調節可能であり、かつ、マイクロホンコードが上記支持パイプおよび上記自在球のパイプ挿通孔を通して引き出されているマイクロホン支持具において、上記自在球と上記マウント部との間には、上記自在球が上記パイプ挿通孔の軸線を中心に回転する回転角を規制する回転規制手段が設けられており、上記回転規制手段により上記マイクロホンの指向軸が話者側を中心にして所定の振り幅内に規制されていることを特徴としている。
【００１２】
これによれば、マイクロホンの指向軸を話者の口元位置に応じて任意に調節できるとともに、その振り幅を規制してあるため、内部のケーブルがよじれて断線したり、ハウリング現象の発生などを効果的に抑えることができる。
【００１３】
通常、会議用マイクロホンには単一指向性のものが用いられ、また、スピーカは話者の前方位置に配置される。さらに会議用マイクロホンは、一台のマイクロホンを複数の話者で共有して使用することもよくある。したがって、このような場合にもハウリング現象を起きないようにするためには、マイクロホンの振り幅を話者側から見て±１１０°以内とすることが好ましい。
【００１４】
製造上、また、組立性の観点からして、上記回転規制手段は、上記自在球の外輪面に沿って形成された規制溝と、上記ベースフレームから上記規制溝に向けて突出する規制ボスとからなることが好ましい。
【００１５】
また、上記規制溝の底部には、上記支持パイプを上記自在球のパイプ挿通孔内に固定するためのネジ式の固定子が設けられていることにより、支持パイプの長さ（マイクロホンの高さ）を簡単に固定することができる。
【００１６】
【発明の実施の形態】
次に、本発明の実施形態について図面を参照しながら説明する。図１は本発明の一実施形態に係るマイクロホン支持具の側面図であり、図２は、そのベースフレームの断面図である。
【００１７】
このマイクロホン支持具１０は、先端にマイクロホン３０を有する支持パイプ２０と、机などの被取付面（図示しない）に取り付けられるベースフレーム４０と、支持パイプ２０の後端側を支持した状態で、ベースフレーム４０の内部に回転自在に収納される自在球５０とを備えている。
【００１８】
マイクロホン３０は、単一指向性マイクロホンであって、その指向軸Ｌが支持パイプ４０の軸線と同軸的になるように、支持パイプ２０の先端に取り付けられている。
【００１９】
支持パイプ２０は、樹脂製や金属製のいずれであってもよいが、この例ではその一部が折曲部２１０を介して「く」の字状に折り曲げられている。この例において、折曲部２１０は約１２０°で折り曲げられているが、その折曲角は仕様に応じて自由に設定できる。
【００２０】
図２に示すように、支持パイプ２０内には、一端側がマイクロホン３０に接続されるケーブルＣが配線されている。ケーブルＣの他端側は、支持パイプ２０から引き出されて図示しないアンプやミキサーなどの音響機器に接続される。
【００２１】
支持パイプ２０の他端側には、自在球５０が取り付けられている。自在球５０は、ステンレスなどの金属製の球体からなり、図３（ａ）の断面図および同図（ｂ）の平面図に示すように、支持パイプ２０を挿通して保持するパイプ挿通孔５１０が設けられている。
【００２２】
パイプ挿通孔５１０は、自在球５０の直径方向（図３（ａ）では、上下方向）に沿って貫通する貫通孔からなり、好ましくは支持パイプ２０との間でぐらつきが生じない内径を備えている。
【００２３】
自在球５０の外輪面には、ベースフレーム４０側に設けられた規制ボス７３０と協働して自己の回転を規制する規制溝５２０が設けられている。また、規制溝５２０の底面には、パイプ挿通孔５１０に向けて出没するパイプ移動規制手段としての固定子５２１が螺合される雌ねじ孔５３０が形成されている。
【００２４】
規制溝５２０は、パイプ挿通孔５１０の軸線を中心として円弧状に形成され、図３（ｂ）に示すように、マイクロホン３０の指向軸Ｌ（話者側）を中心として、それぞれ左右対称な振り幅をもって形成されている。
【００２５】
規制溝５２０の振り幅は、マイクロホン３０の単一指向特性と、例えば話者の前方に配置される図示しないスピーカとの関係で決められ、さらにハウリング現象が起きない角度であることが好ましい。
【００２６】
通常、この角度は、マイクロホン３０の指向軸Ｌを中心に左右に±３０°程度であるが、この例では会議など１台のマイクロホン３０を複数の話者で共有することも考慮して、マイクロホン３０の指向軸Ｌを中心にそれぞれ左右に±１１０°以内（この実施形態では±１００°（合計２００°）の振り幅になるように形成されている。なお、規制溝５２０の振り幅は、上記範囲を満たせば左右非対称であってもよい。
【００２７】
雌ねじ孔５３０は、パイプ挿通孔５１０に対してほぼ直角に貫設されており、その内面には、固定子５２１を進退させるための雌ねじが切られている。固定子５２１は、雌ねじ孔５３０内に螺合するイモネジからなり、パイプ挿通孔５１０に向けて出没することで、支持パイプ２０の一部を押圧し、支持パイプ２０の移動を規制する。
【００２８】
図２に示すように、ベースフレーム４０は、図示しない机などの被取付面に固定される台座プレート６０と、台座プレート６０の上部にネジ止めされ、内部に自在球５０を回転自在に収納するマウント部７０とを備えている。この実施形態において、台座プレート６０およびマウント部７０はともに金属の切削加工品からなる。
【００２９】
図４（ａ）および同図（ｂ）に示すように、この例において、台座プレート６０は、二等辺三角形状の板状体であって、そのほぼ中央には、マウント部７０の内部に向けて挿入される円筒状のスリーブ６１０が嵌合される開口部６１１が形成されている。なお、台座プレート６０は、図４（ａ）において左側に位置する頂点部が話者側に向けられて図示しない被取付面（机など）上に置かれる。
【００３０】
また、台座プレート６０の各頂点部には、図示しない被取付面に対する固定脚としてのゴムブッシュ６３０を装着するための取付孔６２１が設けられている。各取付孔６２１内には、ゴムブッシュ６３０の係止溝６３３が係止される環状凸部６２３が取付孔６２１の中心側に向けて突設されている。
【００３１】
ゴムブッシュ６３０は、円筒状の筒体からなり、中央に口金６３２を挿入するための挿入孔６３１が設けられている。ゴムブッシュ６３０の外周面には、挿入孔６３１の軸線と同軸的に環状の係止溝６３３が設けられており、この係止溝６３３が取付孔６２１の環状凸部６２３に沿って係止される。なお、口金６３２には、その上部フランジ径が上記環状凸部６２３の内径よりも小径のものを用いる。
【００３２】
台座プレート６０にゴムブッシュ６３０を取り付けるに当たっては、まずゴムブッシュ６３０を取付孔６２１に挿入して係止溝６３３を環状凸部６２３に係合させた後、ゴムブッシュ６３０の挿入孔６３１に口金６３２を挿入する。これにより、口金６３２によって挿入孔６３１が拡径され、ゴムブッシュ６３０が確実に台座プレート６０に取り付けられる。
【００３３】
台座プレート６０は、口金６３２に挿通される（図示しない）ネジによって被取付面にネジ止めされるが、口金６３２の上部フランジが環状凸部６２３よりも小径であるため、万が一マイクロホン３０や支持パイプ２０に大きな負荷が加わった際には、ゴムブッシュ６３０が台座プレート６０の取付孔６２１から外れることにより、支持パイプ２０やマイクロホン３０が破壊されるのを防止できる。
【００３４】
台座プレート６０にはさらに、マウント部７０を固定する際に、固定ネジ７４０が螺合されるネジ孔６２２が、この実施形態では１２０°間隔を持って同心円上に３カ所設けられている。なお、上述した取付孔６２１と、ネジ孔６２２とは、互いにずらされた位置に設けられている。
【００３５】
図２に示すように、台座プレート６０の開口部６１１に対してスリーブ６１０が下から嵌合される。スリーブ６１０の下端には、固定プレート６２０のネジ孔６２２と嵌合する雌ねじ孔６１４を有するフランジ６２０が形成されており、スリーブ６１０は、固定ネジ７４０にて固定プレート６２０の下面側にネジ止めされている。
【００３６】
スリーブ６１０内の底面側の一部には、後述する固定ナット６６０が螺合されるネジ面６１２が設けられている。また、スリーブ６１０の上端側の一部には、半円状に切りかかれた切欠部６１３が設けられており、この切欠部６１３に後述する規制ボス７３０の先端側が差し込まれる。
【００３７】
図２および図５（ａ），（ｂ）を参照して、マウント部７０は、内部に自在球５０を収納可能な収納部７１０を備え、マウント部７０の上面側には支持パイプ２０を引き出すための引出孔７２０が開口されている。収納部７１０の内面の上面側は、自在球５０の表面に沿って円弧状に形成されている。
【００３８】
図５（ａ）に示すように、引出孔７２０は、マイクロホン３０の指向軸Ｌに沿って平行な長楕円状に形成されており、引出孔７２０に沿って支持パイプ３０が前後方向（図５（ａ）では上下方向）のみに所定角度だけ傾くことができるようになっている。
【００３９】
マウント部７０の側面には、ネジ孔７１１が設けられており、このネジ孔７１１に自在球５０の規制溝５２０に向けて出没する規制ボス７３０が設けられている。規制ボス７３０は、表面の一部にネジ孔７１１に螺合するネジ山が形成された雄ねじからなり、その先端側が規制溝５２０内に入り込むことによって、上述したように自在球５０の回転範囲を規制する。
【００４０】
マウント部７０の基底部側は、台座プレート６０に沿ってフランジ状に拡径されており、その基底部には、上述した固定ネジ７４０が螺合されるネジ孔７１２が所定間隔をもって複数形成されている。この実施形態において、ネジ孔７１２は１２０°間隔で同心円上に３カ所設けられている。
【００４１】
スリーブ６１０内には、マウント部７０内に収納された自在球５０が抜け落ちるのを防止するための当て具６４０と、同当て具６４０を下側から適度に押圧するスプリングワッシャー６５０とが設けられ、これらが固定ナット６６０によって固定されている。当て具６４０は、円盤リング状であって、自在球５０に対する当接面側が自在球５０とほぼ同曲率の円弧面とされている。
【００４２】
このマイクロホン支持具１０を組み立てるに当たっては、一例として、まず、台座プレート６０の上面にマウント部７０を載置し、下面側からスリーブ６１０をマウント部７０内に入り込むように取り付けて、３本の固定ネジ７４０にて台座プレート６０に対してマウント部７０およびスリーブ６１０をネジ止めする。
【００４３】
別の場所で、支持パイプ２０（マイクロホン３０未装着）の後端を自在球５０のパイプ挿通孔５１０に差し込み、固定子５３０で固定する。そして、支持パイプ２０を引出孔７２０に挿通させて、自在球５０をマウント部７０内に入れる。
【００４４】
次に、スリーブ６１０内に当て具６４０，スプリングワッシャー６５０をこの順で挿入し、その下側から固定ナット６６０を徐々に締め付け、マウント部７０と自在球５０との間で適度なフリクションを発生させる。その後、マウント部７０の側面から規制リブ７３０を螺合し、その先端を自在球５０の規制溝５２０内に位置させ、自在球５０の回転範囲を規制する。また、適当なときに支持パイプ２０の先端にマイクロホン３０を取り付ける。
【００４５】
これにより、支持パイプ２０はベースプレート４０内に収納された自在球５０を介して引出孔７２０に沿って前後方向に傾動するとともに、パイプ挿通孔５１０の軸線を中心に規制溝５２０に沿って所定角度範囲内で回転するため、内部に配線されたケーブルＣがよじれることはない。また、マイクロホン３０も話者側を中心として一定の振り幅でしか回転しないため、ハウリング現象も効果的に抑えられる。
【００４６】
この実施形態においては、マイクロホン支持具１０を台座プレート６０を介して机などの被設置面に固定する場合について例示したが、台座プレート６０に代えて、重いスタンド台にベースフレーム４０を設置した可動式のマイクロホン支持具であってもよい。このような態様も本発明に含まれる。
【００４７】
【発明の効果】
以上説明したように、本発明によれば、自在球とマウント部との間に自在球がパイプ挿通部の軸線を中心に回転する回転角を規制する回転規制手段を設けて、マイクロホンの指向軸が話者側を中心にして所定の振り幅になるように規制したことにより、ケーブルの撚れによる断線やハウリング現象などを効果的に防止できる。
【図面の簡単な説明】
【図１】本発明の一実施形態に係るマイクロホン支持具の正面図。
【図２】上記実施形態のマイクロホン支持具の要部断面図。
【図３】自在球の構成を説明する断面図および平面図。
【図４】台座プレートの構成を説明する平面図および断面図。
【図５】マウント部の構成を説明する平面図および部分断面図。
【図６】従来のマイクロホン支持具の正面図。
【符号の説明】
１０  マイクロホン支持具
２０  支持パイプ
３０  マイクロホン
４０  ベースフレーム
５０  自在球
５１０  パイプ挿通孔
５２０  規制溝
６０  台座プレート
６１０  スリーブ
６２０  フランジ部
６３０  ゴムブッシュ
７０  マウント部
７１０  収納部
７２０  引出孔
７３０  規制ボス
【図１】
2004172955.tif 000003
【図２】
2004172955.tif 000004
【図３】
2004172955.tif 000005
【図４】
2004172955.tif 000006
【図５】
2004172955.tif 000007
【図６】
2004172955.tif 000008